(57)【特許請求の範囲】
【請求項１】
ジョークラッシャーを備えるバケットをパワーショベルアームの先端に設けた破砕選別装置において、ジョークラッシャー本体の取付ベースの一端をパワーショベルのアーム先端に枢軸回転可能に連結し、前記取付ベースの他端を第１リンクを介してバケットシリンダーのロッド先端に枢支し、更に前記ロッド先端から前記アーム先端近傍に連結する第２リンクを枢支し、前記取付ベース、前記第１リンク、前記第２リンク、前記アームにて平行四辺形リンク機構を形成し、前記バケットシリンダーの伸縮により平行四辺形リンク機構が作用し、前記ジョークラッシャー本体が前記アーム先端を軸にして回動することができ、さらに前記ジョークラッシャー本体には投入口側にバケットを一体に接続すると共に排出口側にスクリーン及びシュートを一体に接続し、前記ジョークラッシャー本体の動歯の左右端部にそれぞれリンクアームを垂下し、それぞれに第３リンクの一端を回動自在に通し軸を介して連結し、前記第３リンクの他端を前記スクリーンのバケット側端部に立設した受け金に回動自在に連結し、かつ前記スクリーンのシュート側端部の両側に立設した支持金に前記シュートの側壁より挿通した支軸をそれぞれ回動自在に軸着してなり、前記動歯の揺動運動により前記リンクアーム、前記第３リンク、前記受け金を介して前記スクリーンが前記シュートの支軸を支点として、往復揺動運動をすることを特徴とする破砕選別装置。
【発明の詳細な説明】
【０００１】
【発明の属する技術分野】
本発明は、油圧ショベル等の掘削機を用いて、原石及びコンクリート殻等を破砕し、砕石と土砂等に選別できる破砕選別装置に関する。
【０００２】
【従来の技術】
建築廃材などの被破砕物をバケットの開口部より収容し、ジョークラッシャーにより所定の大きさまで一次破砕した後、ロータリークラッシャーにより更に小径となるよう二次破砕して破砕物を底部より排出する破砕装置が、特開２０００−３００３３０号公報として公知となっている。
前記公知技術は、バケット内にクラッシャーを設けてバケットの奥から破砕片を排出するため、クラッシャー容量はバケットに容量に限定されると共に、砕石と土砂・細破砕片とは一緒に排出されるので、後で篩い分けをしなければならなかった。
【０００３】
【発明が解決しようとする課題】
そこで、本発明は、被破砕物をジョークラッシャー内に大量に取り込んで効率良く破砕処理ができると共に、破砕物の選別が可能であり、しかも土砂等のダストを容易に取り除くことができる破砕選別装置を提供することを目的とする。
【０００４】
【課題を解決するための手段】
そのために、本発明は、ジョークラッシャーを備えるバケットをパワーショベルアームの先端に設けた破砕選別装置において、ジョークラッシャー本体の取付ベースの一端をパワーショベルのアーム先端に枢軸回転可能に連結し、前記取付ベースの他端を第１リンクを介してバケットシリンダーのロッド先端に枢支し、更に前記ロッド先端から前記アーム先端近傍に連結する第２リンクを枢支し、前記取付ベース、前記第１リンク、前記第２リンク、前記アームにて平行四辺形リンク機構を形成し、前記バケットシリンダーの伸縮により平行四辺形リンク機構が作用し、前記ジョークラッシャー本体が前記アーム先端を軸にして回動することができ、さらに前記ジョークラッシャー本体には投入口側にバケットを一体に接続すると共に排出口側にスクリーン及びシュートを一体に接続し、前記ジョークラッシャー本体の動歯の左右端部にそれぞれリンクアームを垂下し、それぞれに第３リンクの一端を回動自在に通し軸を介して連結し、前記第３リンクの他端を前記スクリーンのバケット側端部に立設した受け金に回動自在に連結し、かつ前記スクリーンのシュート側端部の両側に立設した支持金に前記シュートの側壁より挿通した支軸をそれぞれ回動自在に軸着してなり、前記動歯の揺動運動により前記リンクアーム、前記第３リンク、前記受け金を介して前記スクリーンが前記シュートの支軸を支点として、往復揺動運動をするものである。
【０００５】
【実施例】
以下、本発明の一実施例を図面に基づいて説明する。
図１に示すように、１はパワーショベルであり、無限軌道型の走行装置２に掘削機３が３６０度旋回可能に搭載されている。
前記掘削機３には、エンジンや油圧ポンプなどの油圧駆動機構を内蔵した駆動部４と、作業者を収容して操作する運転台５と、ブーム６先端に回動自在に取り付けられたアーム７と、該アーム７を作動させる油圧シリンダー８とが設けられている。
【０００６】
前記アーム７の先端には、本発明の破砕選別装置として、ジョークラッシャー本体９が取付ベース１０により回動可能に取り付けられる。
すなわち、前記ジョークラッシャー本体９の取付ベース１０の一端を前記アーム７先端に枢支し、取付ベース１０の他端をバケットシリンダー１１のロッド１２に第１リンク１３を介して枢支し、更に該ロッド１２から前記アーム７に連結する第２リンク１４を接続して平行四辺形リンク機構を形成し、バケットシリンダー１１の伸縮により平行四辺形リンク機構が作用し、前記ジョークラッシャー本体９が前記アーム７先端を軸にして回動することができる。
さらに、前記ジョークラッシャー本体９は、投入口側にバケット１５を接続し、排出口側にスクリーン１６及びシュート１７を接続した構造で、前記ジョークラッシャー本体９の排出側に取付ベース１０が固定される。
なお、前記アーム７先端からジョークラッシャー本体９を取り外し、通常のバケットを接続するようなアタッチメント交換は自由である。
【０００７】
次いで、前記ジョークラッシャー本体９を詳細に図２に基づいて説明すると、図２（ａ）側面図および（ｂ）正面図に示すように、前記ジョークラッシャー本体９は、表面に凹凸状の突条を有する垂直固定の固定歯１８と、該固定歯１８と対向する側に傾斜配置され、表面に前記固定歯１８と噛み合う凹凸状の突条を有する動歯１９と、該動歯１９を固定し、回転運動を往復運動に変換し、前記固定歯１８側に揺動運動するスイングジョー２０と、該スイングジョー２０に回転運動を与える従動プーリ２１と、該従動プーリ２１にベルト２２を介して駆動力を伝達する駆動プーリ２３と、該駆動プーリ２３を回転させる油圧モータ２４とを設け、さらにジョークラッシャー本体９の投入口側に鋼板により掬い容器状に形成されたバケット１５と、ジョークラッシャー本体９の排出側の下部に取り付けられたスクリーン１６と、該スクリーン１６の下流側に配置されたシュート１７とから構成される。
更に、図２（ａ）のＰ矢視説明である図２（ｃ）に示すように、動歯１９の左右端部にそれぞれ垂下したリンクアーム２５、２５には、それぞれ第３リンク２６、２６の一端を回動自在に通し軸２７を介して接合し、第３リンク２６の他端をスクリーン１６のバケット１５側端部に立設した受け金２８、２８に回動自在に接合し、スクリーン１６のシュート１７側端部の両側に立設した支持金２９、２９には、それぞれシュート１７の側壁より挿通した支軸３０を回動自在に軸着してなり、前記動歯１９の揺動運動に対してスクリーン１６は支軸３０を支点として、矢印方向上下に往復揺動運動をするものである。
このスクリーン１６の上下揺動の篩い分け作用によって、ジョークラッシャー本体９で砕かれた石塊は、その粉状のものがスクリーン１６の網目から篩い落とされ、シュート１７からは所要塊状の砕石が得られる。
なお、前記従動プーリ２１の反対側にはフライホイール３１を配置し、また前記油圧モータ２４は油圧ポンプなどの油圧駆動機構により油圧ホース３２を介して駆動される。
【０００８】
次に、本発明の破砕選別装置の操作動作について、図１及び図３を参照して述べると、
作業者は、運転台５よりアーム７及び油圧シリンダー８を介して本発明の破砕選別装置、すなわちジョークラッシャー本体９を制御して図１に矢印で示すようにバケット１５開口へ被破砕物を掬い採る。
次に、図３に示すように、少しビーム６を旋回させた後、前記ジョークラッシャー本体９をさらに上向きに傾け、掬い採った被破砕物をジョークラッシャー本体９の投入口へ重力落下させ、駆動部４の作動により油圧モータ２４を作動させて駆動プーリ２３を回転させ、さらにベルト２２を介して従動プーリ２１を回転させてスイングジョー２０を揺動動作させる。
前記スイングジョー２０に固定された可動歯１９は、揺動動作するので固定歯１８とで被破砕物を噛み砕き、所定の径以下の被破砕物は排出口から下方のスクリーン１６に落下する。
そして、スクリーン１６の上下揺動の篩い分け作用によって、ジョークラッシャー本体９で砕かれた被破砕物は、その粉状のものがスクリーン１６の網目から篩い落とされ、シュート１７からは所要塊状の砕石が得られる。
【０００９】
再び、ビーム６を旋回させて戻し、前記と同様に被破砕物を掬い採り、同様にして破砕選別を連続的に行う。
これを繰り返すことにより、被破砕物を破砕したのち直ちに、砕石と土砂・細破砕物とを効率的に選別することができる。
【００１０】
【効果】
本発明の破砕選別装置は、ジョークラッシャー本体にバケット及びスクリーン、シュートを一体に形成したので、被破砕物、例えば原石を破砕したのち、直ちに砕石と土砂・細破砕物とを効率的に選別することができる。
【図面の簡単な説明】
【図１】本発明の破砕選別装置に用いられるパワーショベルの側面図である。
【図２】本発明の破砕選別装置、すなわちジョークラッシャー本体の（ａ）側面図、（ｂ）背面図、（ｃ）Ｐ矢視スクリーン駆動説明図である。
【図３】本発明の破砕選別装置に用いられるパワーショベルの作業状態の側面図である。
【符号の説明】
１  パワーショベル
２  走行装置
３  掘削機
４  駆動部
５  運転台
６  ブーム
７  アーム
８  油圧シリンダー
９  ジョークラッシャー本体
１０  取付ベース
１１  バケットシリンダー
１２  ロッド
１３  第１リンク
１４  第２リンク
１５  バケット
１６  スクリーン
１７  シュート
１８  固定歯
１９  動歯
２０  スイングジョー
２１  従動プーリ
２２  ベルト
２３  駆動プーリ
２４  油圧モータ
２５  リンクアーム
２６  第３リンク
２７  通し軸
２８  受け金
２９  支持金
３０  支軸
３１  フライホイール
３２  油圧ホース
【図１】
0003616598.tif 000002
【図２】
0003616598.tif 000003
【図３】
0003616598.tif 000004